【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
素材の反射特性を記録媒体上において表現するためのデータを生成する画像処理装置であって、
前記素材における複数の方向への反射に関する反射特性を表す反射特性情報を画素ごとに有する画像データを取得する取得手段と、
前記画像データに基づいて、前記複数の方向のうち一部の方向について、所定サイズの領域に含まれる各画素に対応する反射特性の統計量を算出する算出手段と、
前記一部の方向における前記統計量に基づいて、記録材から成る構造体の前記記録媒体上における配置を表す配置データを生成する生成手段と、
を有することを特徴とする画像処理装置。
【請求項２】
前記反射特性情報が表す前記反射特性は、前記素材に光を入射し、前記素材からの反射光を受光することによって得られる反射強度又は反射率であることを特徴とする請求項１に記載の画像処理装置。
【請求項３】
前記画像データは、光の入射角と受光角とのうち少なくとも一方を変化させて得られる複数の反射強度又は反射率を表す前記反射特性情報を有するデータであることを特徴とする請求項１又は請求項２に記載の画像処理装置。
【請求項４】
前記算出手段は、受光角の変化を一部の方向に限定した場合に得られる反射特性の前記統計量を算出することを特徴とする請求項１乃至請求項３のいずれか一項に記載の画像処理装置。
【請求項５】
前記反射特性情報に基づいて、前記算出手段が前記統計量を算出するための統計方法を設定する設定手段をさらに有し、
前記算出手段は、前記設定手段によって設定された前記統計方法によって、前記統計量を算出することを特徴とする請求項１乃至請求項４のいずれか一項に記載の画像処理装置。
【請求項６】
ユーザからの指示を受け付ける受付手段と、
前記ユーザからの指示に基づいて、前記算出手段が前記統計量を算出するための統計方法を設定する設定手段と、をさらに有し、
前記算出手段は、前記設定手段によって設定された前記統計方法によって、前記統計量を算出することを特徴とする請求項１乃至請求項４のいずれか一項に記載の画像処理装置。
【請求項７】
前記統計量は、前記反射特性情報が表す前記反射特性の平均値であることを特徴とする請求項１乃至請求項６のいずれか一項に記載の画像処理装置。
【請求項８】
前記統計量は、前記反射特性情報が表す前記反射特性の標準偏差であることを特徴とする請求項１乃至請求項７のいずれか一項に記載の画像処理装置。
【請求項９】
前記構造体の情報を取得する第２取得手段をさらに有し、
前記生成手段は、前記構造体の情報にさらに基づいて、前記配置データを生成することを特徴とする請求項１乃至請求項８のいずれか一項に記載の画像処理装置。
【請求項１０】
前記統計量が表す前記素材の反射特性と前記構造体が有する反射特性との差分を表す評価値を算出する第２算出手段をさらに有し、
前記生成手段は、前記評価値に基づいて、前記配置データを生成することを特徴とする請求項１乃至請求項９のいずれか一項に記載の画像処理装置。
【請求項１１】
前記生成手段は、前記評価値を最小にするように、前記配置データを生成することを特徴とする請求項１０に記載の画像処理装置。
【請求項１２】
前記素材はベルベット生地であり、
前記統計量は、入射角と受光角の方位角とを固定し、前記受光角の仰角を変化させて反射光を受光することにより得られる反射強度又は反射率の、前記一部の方向における平均値であることを特徴とする請求項１乃至請求項１１のいずれか一項に記載の画像処理装置。
【請求項１３】
前記素材はサテン生地であり、
前記統計量は、入射角と受光角の方位角とを固定し、前記受光角の仰角を変化させて反射光を受光することにより得られる複数の反射強度又は反射率の、前記一部の方向における平均値と、前記入射角と前記受光角の仰角とを固定し、前記受光角の方位角を変化させて反射光を受光することにより得られる複数の反射強度又は反射率の、前記一部の方向における平均値と、であることを特徴とする請求項１乃至請求項１１のいずれか一項に記載の画像処理装置。
【請求項１４】
前記素材は金属であり、
前記統計量は、入射角と受光角の方位角とを固定し、前記受光角の仰角を変化させて反射光を受光することにより得られる複数の反射強度又は反射率の、前記一部の方向における平均値及び標準偏差であることを特徴とする請求項１乃至請求項１１のいずれか一項に記載の画像処理装置。 
【請求項１５】
前記配置データに基づいて、前記記録媒体上に前記構造体を形成することによって、前記画像データが表す画像を形成する形成手段を制御する制御手段をさらに有することを特徴とする請求項１乃至請求項１４のいずれか一項に記載の画像処理装置。
【請求項１６】
前記取得手段は、前記反射特性情報と、前記画像の色を表す色情報と、を有する前記画像データを取得し、
前記色情報に基づいて、前記構造体を形成するために用いる記録材の記録量を決定する決定手段をさらに有し、
前記制御手段は、前記決定手段によって決定された前記記録材の記録量にさらに基づいて、前記形成手段に前記画像を形成させることを特徴とする請求項１５に記載の画像処理装置。
【請求項１７】
前記記録材は、有色色材及び紫外線硬化型の記録材であることを特徴とする請求項１６に記載の画像処理装置。
【請求項１８】
素材の反射特性を記録媒体上において表現するためのデータを生成する画像処理装置であって、
前記素材における複数の方向への反射に関する反射特性を表す反射特性情報を有する反射特性データを取得する取得手段と、
前記反射特性データに基づいて、前記複数の方向それぞれに対応する反射特性から、前記複数の方向のうち一部の方向に対応する反射特性を抽出する抽出手段と、
前記一部の方向に対応する反射特性に基づいて、記録材から成る構造体の前記記録媒体上における配置を表す配置データを生成する生成手段と、
を有することを特徴とする画像処理装置。
【請求項１９】
素材の反射特性を記録媒体上において表現するためのデータを生成する画像処理方法であって、
前記素材における複数の方向への反射に関する反射特性を表す反射特性情報を画素ごとに有する画像データを取得する取得ステップと、
前記画像データに基づいて、前記複数の方向のうち一部の方向について、所定サイズの領域に含まれる各画素に対応する反射特性の統計量を算出する算出ステップと、
前記一部の方向における統計量に基づいて、記録材から成る構造体の前記記録媒体上における配置を表す配置データを生成する生成ステップと、
を有することを特徴とする画像処理方法。
【請求項２０】
コンピュータを請求項１乃至請求項１８のいずれか一項に記載の画像処理装置の各手段として機能させるためのプログラム。
【手続補正２】
【補正対象書類名】明細書
【補正対象項目名】０００６
【補正方法】変更
【補正の内容】
【０００６】
上記課題を解決するために、本発明に係る画像処理装置は、素材の反射特性を記録媒体上において表現するためのデータを生成する画像処理装置であって、前記素材における複数の方向への反射に関する反射特性を表す反射特性情報を画素ごとに有する画像データを取得する取得手段と、前記画像データに基づいて、前記複数の方向のうち一部の方向について、所定サイズの領域に含まれる各画素に対応する反射特性の統計量を算出する算出手段と、前記一部の方向における統計量に基づいて、記録材から成る構造体の前記記録媒体上における配置を表す配置データを生成する生成手段と、を有することを特徴とする。